(57)【要約】      （修正有）【課題】輸液駆動部の大幅な変更を不要にでき、輸液駆動部から取り出すときに閉塞部材が自動的に閉塞位置に移動されることで輸液チューブが確実にアンチフリーフロー状態になるきわめて安全性に優れる輸液チューブ装填補助具とこれを用いた輸液システムおよびこの使用方法の提供。【解決手段】薬液をフリーフロー状態とアンチフリーフロー状態に保持する輸液チューブ装填補助具５であって、輸液装置１の輸液駆動部は係止位置と開放位置との間で開閉自在に設けられるドア部材２６と送液を行うフィンガー２８とドア部材を係止位置に保持する係止部材３０と備え、輸液チューブ装填補助具５は輸液チューブ２の途中部位を保持する基部５０、５１と、輸液チューブをアンチフリーフロー状態にする閉塞部材５５とを備え、ドア部材が開放位置に開けられると係合状態が解除され閉塞部材をアンチフロー状態に移動付勢するトーションバネを備える。【選択図】  図３
2007236618.tif 000002
【特許請求の範囲】
【請求項１】
輸液チューブの外周面を長手方向に押圧して薬液の送液を行う輸液装置に対して装填され、前記薬液をフリーフロー状態とアンチフリーフロー状態に保持する輸液チューブ装填補助具であって、
前記輸液装置の輸液駆動部は、
係止位置と開放位置との間で開閉自在に設けられるドア部材と、
前記ドア部材との間で前記輸液チューブを狭持して前記送液を行う駆動手段と、
前記ドア部材を前記係止位置に保持する係止手段と、を備え、
前記輸液チューブ装填補助具は、
前記ドア部材と前記駆動手段との間に装填されるとともに、前記輸液チューブの途中部位を保持する保持部を有する基部と、
前記輸液チューブを前記アンチフリーフロー状態にする閉塞位置と、前記輸液チューブを前記フリーフロー状態にする待機位置との間で前記基部上で回動自在に設けられる閉塞部材と、
前記基部が前記輸液駆動部に装着され、前記ドア部材が前記係止位置にされた後に、前記ドア部材が前記開放位置に開けられると、その係合状態が解除されて、前記閉塞部材を前記アンチフロー状態に移動付勢する付勢部材と、
を備えることを特徴とする輸液チューブ装填補助具。
【請求項２】
前記付勢部材は、
その一端が前記基部の第１の溝部に潜入され、その巻線部が前記閉塞部材を前記基部に回動軸支するための軸体に挿通され、その他端が前記基部の第２の溝部に潜入されることで前記係合状態を維持するとともに、前記係合状態が解除されると前記一端が前記第１の溝部から前記閉塞部材の裏面部位に移動されるように開方向に常時付勢されたトーションバネを含むことを特徴とする請求項１に記載の輸液チューブ装填補助具。
【請求項３】
前記第１の溝部は、前記基部の裏面側の傾斜面上に形成され、
前記ドア部材または前記係止手段に形成された凸部を含む形状部により、前記閉塞部材の表面側が押圧され、前記閉塞部材の内側傾斜面に当接することで、前記一端が前記第１の溝部から外れ、前記傾斜面上をすべり前記閉塞部材の裏面部位に移動されることで、前記閉塞部材を前記アンチフロー状態に付勢することを特徴とする請求項２に記載の輸液チューブ装填補助具。
【請求項４】
前記輸液装置は、前記ドア部材を前後方向または左右方向に開閉自在に設けた蠕動式輸液ポンプ、ローラ式輸液装置を含むことを特徴とする請求項１乃至３のいずれか１項に記載の輸液チューブ装填補助具。
【請求項５】
前記基部は、前記薬液に関する情報を記憶したＩＣタグ、前記輸液チューブ中の気泡の有無を検出する気泡検出部、閉塞を検出する閉塞検出部をさらに配置したことを特徴とする請求項１乃至４のいずれか１項に記載の輸液チューブ装填補助具。
【請求項６】
輸液チューブの外周面を長手方向に押圧して薬液の送液を行う輸液装置に対して装填され、前記薬液をフリーフロー状態とアンチフリーフロー状態に保持するために、
前記輸液装置の輸液駆動部は、
係止位置と開放位置との間で開閉自在に設けられるドア部材と、
前記ドア部材との間で前記輸液チューブを狭持して前記送液を行う駆動手段と、
前記ドア部材を前記係止位置に保持する係止手段と、を備え、
前記ドア部材と前記駆動手段との間に装填されるとともに、前記輸液チューブの途中部位を保持する保持部を有する基部と、
前記輸液チューブを前記アンチフリーフロー状態にする閉塞位置と、前記輸液チューブを前記フリーフロー状態にする待機位置との間で前記基部上で回動自在に設けられる閉塞部材と、
前記基部が前記輸液駆動部に装着され、前記ドア部材が前記係止位置にされた後に、前記ドア部材が前記開放位置に開けられると、その係合状態が解除されて、前記閉塞部材を前記アンチフロー状態に移動付勢する付勢部材と、を備える輸液チューブ装填補助具を用いた輸液システムであって、
輸液のための諸設定を行う輸液設定手段と、
前記輸液設定手段から設定される諸設定値を含む輸液に関する表示を行う表示手段と、  患者の輸液データを入力する患者データ入力装置と、
前記輸液設定手段と、前記表示手段と、前記患者データ入力装置とに接続され、前記輸液装置の前記輸液駆動部の制御を行う制御手段と、
充電式バッテリー、商用電源装置を含む電源手段と、
１台以上の前記輸液装置を載置位置で固定する置き台と、前記輸液チューブの上流に接続されるとともに、前記薬液を溜めた輸液バッグをセットする輸液ポールとを有する筐体と、を備え、
前記制御手段と、前記電源装置とを前記筐体内に収納し、
前記輸液設定手段と、前記表示手段と、前記患者データ入力装置と、を前記輸液ポールに固定したことを特徴とする輸液システム。
【請求項７】
前記輸液設定手段と、前記表示手段と、前記患者データ入力装置とは一体形成されるとともに、前記輸液ポールに対する任意の位置に固定され、かつ前記輸液ポールは高さ調整自在に前記筐体に固定され、さらに前記筐体は移動用キャスタを設けたことを特徴とする請求項６に記載の輸液システム。
【請求項８】
輸液チューブ装填補助具の使用方法であって、
係止位置と開放位置との間で開閉自在に設けられるドア部材と、
前記ドア部材との間で輸液チューブを狭持して送液を行う駆動手段と、
前記ドア部材を前記係止位置に保持する係止手段とから構成される輸液装置の輸液駆動部に対して、
前記ドア部材と前記駆動手段との間で装填されるとともに、前記輸液チューブの途中部位を保持する保持部を有する基部と、前記輸液チューブをアンチフリーフロー状態にする閉塞位置と、前記輸液チューブをフリーフロー状態にする待機位置との間で前記基部において回動自在に設けられる閉塞部材と、前記基部が前記輸液駆動部に装着され、前記ドア部材が前記係止位置にされた後に、前記ドア部材が前記開放位置に開けられると、その係合状態が解除されて、前記閉塞部材を前記アンチフロー状態に移動付勢する付勢部材とから構成される輸液チューブ装填補助具を装填し、
前記ドア部材が前記係止位置に装填された状態では前記フリーフロー状態に維持して、前記輸液チューブの外周面を長手方向に押圧して薬液の送液を行うとともに、
前記ドア部材が前記開放位置に開けられると前記アンチフリーフロー状態にして前記薬液の送液を強制停止させることを特徴とする輸液チューブ装填補助具の使用方法。
【発明の詳細な説明】
【技術分野】
【０００１】
本発明は、輸液チューブ装填補助具、これを用いた輸液システムおよびこの使用方法に係り、特に安全性に優れる輸液技術に関する。
【背景技術】
【０００２】
医療現場では、輸液チューブの外周面を長手方向に押圧して蠕動運動を与えることで輸液を行う蠕動式輸液ポンプやローラ式輸液ポンプが用いられている。
【０００３】
また、輸液装置に対して輸液チューブを装填後に輸液を開始するときに、薬液をフリーフロー状態とアンチフリーフロー状態とに確実に切り換えるための輸液ポンプ用カセットが提案されている。
【０００４】
この提案によれば、輸液チューブをカセットの保持部で保持しておき、輸液チューブの途中部位を閉塞することでアンチフリーフロー状態にする状態と途中部位を開放することでフリーフロー状態にするための付勢部材と、この付勢部材に連動する閉塞部材が設けられている。このカセットを輸液ポンプの輸液駆動部に対して装填した後に、付勢部材を手前側に引き出すことで閉塞部材による閉塞が解除されてフリーフロー状態になるので輸液チューブの蠕動運動で薬液の送液が可能となる。また、付勢部材をカセット側に移動すると閉塞部材による閉塞動作によりアンチフリーフロー状態に維持できるように構成されている。（特許文献１）
一方、本願出願人は、輸液システムを提案している。この輸液システムによれば、複数の蠕動式輸液ポンプやシリンジ式輸液ポンプを用いて同一患者への複数の種類の薬液の輸液を可能にしている。
【０００５】
この輸液システムによれば、輸液のための諸設定を行う輸液設定手段と、この輸液設定手段から設定される諸設定値を含む輸液に関する表示を行う表示手段と、患者の輸液データを入力する患者データ入力装置と、輸液設定手段と表示手段と患者データ入力装置とに接続され輸液装置の輸液駆動部の制御を行うための制御手段を備えている。また、充電式バッテリー、商用電源装置を含む電源手段と、最大８台の輸液装置を載置位置で固定するための置き台と、輸液チューブの上流に接続されるとともに薬液を溜めた輸液バッグを吊るすための輸液ポールを備えた筐体を備えており、さらにこの筐体を移動可能にするためのキャスタを設けて構成されている。
【特許文献１】特開２００４−１４１４１８号公報
【発明の開示】
【発明が解決しようとする課題】
【０００６】
しかしながら、上記の提案の輸液ポンプ用カセットによれば、輸液ポンプの輸液駆動部に対して装填した後に、付勢部材を手前側に引き出す作業を行わないと輸液チューブの閉塞が解除されるフリーフロー状態にして輸液を開始することができない。このため面倒である。また、穿刺針が患者に刺さった状態から付勢部材をカセット側に移動した状態で輸液駆動部から無理矢理に取り出すと、フリーフロー状態となっていることから、思わぬ輸液事故を招くことも危惧される。
【０００７】
一方、上記の輸液システムによれば、例えば集中治療が必要な患者に対して異なる種類の薬液を同時に投与可能となる理想的なシステムが提供される。しかしながら、常時フリーフロー状態になっている輸液チューブを用いて薬液の送液を行うので、輸液事故防止のためのさらなる安全性の確保を図りたいとの要請がある。
【０００８】
また、輸液ポンプの輸液駆動部に輸液チューブを装填するときにはフリーフロー状態になっており、輸液駆動部から取り出す作業にともない自動的にアンチフリーフロー状態になるようにするためには、輸液駆動部への大幅な改造またはその構造が複雑化する。
【０００９】
したがって、本発明は上記の事情に鑑みてなされたものであり、輸液ポンプの輸液駆動部に対して装填するときに、フリーフロー状態に維持でき、また輸液駆動部から取り出すときに自動的にアンチフリーフロー状態にできるとともに、簡単な構成を採用することできわめて安全性に優れる輸液チューブ装填補助具とこれを用いた輸液システムおよびこの使用方法の提供を目的としている。
【課題を解決するための手段】
【００１０】
以上の課題を解決するために、本発明によれば、輸液チューブの外周面を長手方向に押圧して薬液の送液を行う輸液装置に対して装填され、前記薬液をフリーフロー状態とアンチフリーフロー状態に保持する輸液チューブ装填補助具であって、前記輸液装置の輸液駆動部は、係止位置と開放位置との間で開閉自在に設けられるドア部材と、前記ドア部材との間で前記輸液チューブを狭持して前記送液を行う駆動手段と、前記ドア部材を前記係止位置に保持する係止手段と、を備え、前記輸液チューブ装填補助具は、前記ドア部材と前記駆動手段との間に装填されるとともに、前記輸液チューブの途中部位を保持する保持部を有する基部と、前記輸液チューブを前記アンチフリーフロー状態にする閉塞位置と、前記輸液チューブを前記フリーフロー状態にする待機位置との間で前記基部上で回動自在に設けられる閉塞部材と、前記基部が前記輸液駆動部に装着され、前記ドア部材が前記係止位置にされた後に、前記ドア部材が前記開放位置に開けられると、その係合状態が解除されて、前記閉塞部材を前記アンチフロー状態に移動付勢する付勢部材と、を備えることを特徴としている。
【００１１】
また、前記付勢部材は、その一端が前記基部の第１の溝部に潜入され、その巻線部が前記閉塞部材を前記基部に回動軸支するための軸体に挿通され、その他端が前記基部の第２の溝部に潜入されることで前記係合状態を維持するとともに、前記係合状態が解除されると前記一端が前記第１の溝部から前記閉塞部材の裏面部位に移動されるように開方向に常時付勢されたトーションバネを含むことを特徴としている。
【００１２】
また、前記第１の溝部は、前記基部の裏面側の傾斜面上に形成され、前記ドア部材または前記係止手段に形成された凸部を含む形状部により、前記閉塞部材の表面側が押圧され、前記閉塞部材の内側傾斜面に当接することで、前記一端が前記第１の溝部から外れ、前記傾斜面上をすべり前記閉塞部材の裏面部位に移動されることで、前記閉塞部材を前記アンチフロー状態に付勢することを特徴としている。
【００１３】
また、前記輸液装置は、前記ドア部材を前後方向または左右方向に開閉自在に設けた蠕動式輸液ポンプ、ローラ式輸液装置を含むことを特徴としている。
【００１４】
また、前記基部は、前記薬液に関する情報を記憶したＩＣタグ、前記輸液チューブ中の気泡の有無を検出する気泡検出部、閉塞を検出する閉塞検出部をさらに配置したことを特徴としている。
【００１５】
また、輸液チューブの外周面を長手方向に押圧して薬液の送液を行う輸液装置に対して装填され、前記薬液をフリーフロー状態とアンチフリーフロー状態に保持するために、前記輸液装置の輸液駆動部は、係止位置と開放位置との間で開閉自在に設けられるドア部材と、前記ドア部材との間で前記輸液チューブを狭持して前記送液を行う駆動手段と、前記ドア部材を前記係止位置に保持する係止手段と、を備え、前記ドア部材と前記駆動手段との間に装填されるとともに、前記輸液チューブの途中部位を保持する保持部を有する基部と、前記輸液チューブを前記アンチフリーフロー状態にする閉塞位置と、前記輸液チューブを前記フリーフロー状態にする待機位置との間で前記基部上で回動自在に設けられる閉塞部材と、前記基部が前記輸液駆動部に装着され、前記ドア部材が前記係止位置にされた後に、前記ドア部材が前記開放位置に開けられると、その係合状態が解除されて、前記閉塞部材を前記アンチフロー状態に移動付勢する付勢部材と、を備える輸液チューブ装填補助具を用いた輸液システムであって、
輸液のための諸設定を行う輸液設定手段と、前記輸液設定手段から設定される諸設定値を含む輸液に関する表示を行う表示手段と、患者の輸液データを入力する患者データ入力装置と、前記輸液設定手段と、前記表示手段と、前記患者データ入力装置とに接続され、前記輸液装置の前記輸液駆動部の制御を行う制御手段と、充電式バッテリー、商用電源装置を含む電源手段と、１台以上の前記輸液装置を載置位置で固定する置き台と、前記輸液チューブの上流に接続されるとともに、前記薬液を溜めた輸液バッグをセットする輸液ポールとを有する筐体と、を備え、前記制御手段と、前記電源装置とを前記筐体内に収納し、前記輸液設定手段と、前記表示手段と、前記患者データ入力装置と、を前記輸液ポールに固定したことを特徴としている。
【００１６】
また、前記輸液設定手段と、前記表示手段と、前記患者データ入力装置とは一体形成されるとともに、前記輸液ポールに対する任意の位置に固定され、かつ前記輸液ポールは高さ調整自在に前記筐体に固定され、さらに前記筐体は移動用キャスタを設けたことを特徴としている。
【００１７】
そして、輸液チューブ装填補助具の使用方法であって、係止位置と開放位置との間で開閉自在に設けられるドア部材と、前記ドア部材との間で輸液チューブを狭持して送液を行う駆動手段と、前記ドア部材を前記係止位置に保持する係止手段とから構成される輸液装置の輸液駆動部に対して、前ドア部材と前記駆動手段との間で装填されるとともに、前記輸液チューブの途中部位を保持する保持部を有する基部と、前記輸液チューブをアンチフリーフロー状態にする閉塞位置と、前記輸液チューブをフリーフロー状態にする待機位置との間で前記基部において回動自在に設けられる閉塞部材と、前記基部が前記輸液駆動部に装着され、前記ドア部材が前記係止位置にされた後に、前記ドア部材が前記開放位置に開けられると、その係合状態が解除されて、前記閉塞部材を前記アンチフロー状態に移動付勢する付勢部材とから構成される輸液チューブ装填補助具を装填し、前記ドア部材が前記係止位置に装填された状態では前記フリーフロー状態に維持して、前記輸液チューブの外周面を長手方向に押圧して薬液の送液を行うとともに、前記ドア部材が前記開放位置に開けられると前記アンチフリーフロー状態にして前記薬液の送液を強制停止させることを特徴としている。
【発明の効果】
【００１８】
本発明によれば、輸液駆動部の大幅な変更を不要にでき、使用前に輸液チューブをフリーフロー状態にすることで輸液チューブ内の滅菌が可能となり、かつ輸液駆動部に対してその基部を装填し、基部を輸液駆動部から取り出すときに閉塞部材が自動的に閉塞位置に移動されることにより、輸液チューブが確実にアンチフリーフロー状態になる結果、きわめて安全性に優れる輸液チューブ装填補助具とこれを用いた輸液システムおよびこの使用方法を提供することができる。
【発明を実施するための最良の形態】
【００１９】
尚、後述する説明では、本願出願人が特開平０９−１５１８５６号公報で提案したペリスタリックフィンガー方式の蠕動式輸液装置であって、各フィンガーで輸液チューブを上流側と下流側のみ完全に潰し、途中部位を完全に潰さないことで輸液チューブの肉厚の影響をなくして高精度で送液する装置を前提にして述べるが、これに限定されず完全に潰すことで輸液チューブの蠕動運動を行うように構成された輸液装置また他の方式の輸液装置である例えば回転ローラを備えたローラ式輸液装置等にも適宜適用できることは言うまでもない。
【００２０】
以下に、本発明の好適な各実施形態について、添付の図面を参照して説明する。
【００２１】
図１は、輸液システム１０の外観斜視図である。本図において、図中の破線図示の輸液装置１を最大で８台搭載するための置き台１４を上部に設けた筐体１１を設けている。この筐体１１の下方には４隅に自在キャスタ２１を固定したアルミ製などのベース２０が固定されている。また、置き台１４の左右下方にはハンドル２２が図示のように固定されておりこのハンドル２２を把持して輸液システム１０全体を、例えば集中治療室内の床面上で自在に移動できるように構成されている。
【００２２】
この筐体１１の裏面からは薬液を溜めた輸液バッグを吊るしておくための輸液ポール１７の支持ポール１５が図示のように左右２箇所に固定されている。支持ポール１５は中空筒状の鉄パイプなどから作られており、その内部に輸液ポール１７を挿通して固定具１６で所望の高さ位置に固定できるようにしている。
【００２３】
また、輸液ポール１７の上端からは４箇所のフック部１７ａが図示のように形成されている。各輸液ポール１７、１７は支持ポール１５、１５に対して個別に高さ調整できるように構成されている。
【００２４】
一方、左側の支持ポール１５の途中には、固定具２３を用いて一体化装置１８が固定されている。この固定具２３には一体化装置１８を上下左右方向の任意の位置で保持するための不図示の支持機構が設けられており、一体化装置１８の表示面を指先でタッチし易くできるようにしている。
【００２５】
そして、この一体化装置１８の表示面を指先でタッチすることで個別の輸液装置１の輸液速度、流量予定量、積算量などの設定が行われるとともに、輸液異常を知らせるアラーム表示、点滴筒の接続時において設定される滴数、点滴プローブを使用したときの流量異常発生を知らせる流量異常、輸液チューブの閉塞異常が検出されて正常な輸液ができないことを知らせる閉塞異常、輸液装置１の後述するドア部材が本体に対して完全に閉じていないときにその状態をドアスイッチで検出して知らせるドア開き表示、輸液チューブ中に所定長（５ｍｍ）以上の長さの気泡が混入したときに知らせる気泡異常、内蔵バッテリーの電圧が低下したときに知らせるバッテリ異常表示などを輸液装置１毎に行うようにしている。
【００２６】
この一体化装置１８としては、液晶装置が使用可能であり、さらに図示のようにその天井部において患者データ入力装置１９が設けられており、患者のカルテを記憶した記憶カードＭをスロット内に挿入することで患者の輸液データの管理、履歴管理を可能にしている。
【００２７】
筐体１１の内部には、輸液装置１の輸液輸液駆動部の制御を行う破線図示の制御装置１２と、充電式バッテリーや商用電源装置を含む電源装置１３が内蔵されており輸液システム１０全体の低重心化を図ることで安定状態で使用可能にしている。
【００２８】
次に、図２は、図１の輸液システム１０のブロック図である。本図において、図１で既に説明済みの構成または部品については同様の符号を附して説明を割愛すると、上記のように最大で８台の輸液装置１を固定する置き台１４には不図示の８個のコネクタが内蔵されており、各輸液装置１の底面に設けられたコネクタに対する電気的な接続を可能にしている。各コネクタは制御装置１２に対して接続されており、各輸液装置１の接続状態を検知可能にしている。
【００２９】
また、電源装置１３は不図示の充電器に接続されることで電力を輸液システム全体に供給可能にしている。また、各輸液装置１が内蔵バッテリーを備えない場合にはこの電源装置１３からの電力供給を上記のコネクタを介して行うように構成されている。
【００３０】
上記の一体化装置１８と、個人データ入力装置１９がさらに制御装置１２に接続されており、記憶装置１２ａに予め格納されたプログラムを実行することで輸液制御を行う一方で、ＬＡＮ（ローカル・エリア・ネットワーク）装置９を介して病院内の全輸液システムの管理を可能にできるように構築されている。
【００３１】
図３は、輸液チューブ装填補助具５とともに図示した輸液装置１の外観斜視図である。また、図４（ａ）は、図３に図示の輸液装置１のドア部材２６を開いて輸液チューブ装填補助具５をセットした様子を図示した外観斜視図、（ｂ）はその後ドア部材２６を係止位置まで閉じた様子を図示した外観斜視図である。
【００３２】
図３と図４において、輸液装置１は上記の置き台１４上に２台のみが離されて固定されている様子が図示されているが、上記のように最大の８台分が固定されるときには、間に隙間なく固定できるようにしたフラット形状の本体２５を備えている。
【００３３】
本体２５の手前には大型ハンドル３１が形成されており、このハンドル３１の上方に設けられたロック部材３２の押圧操作によって不図示のロック機構が解除されて置き台１４上から輸液装置１を取り外すことができるようにしている。また、このロック部材３２のさらに上方には内蔵の赤色、緑色の発光ＬＥＤの点滅で輸液状態を表示するとともに、アラーム発生を知らせるインジケータ３３が配設されている。
【００３４】
この本体２５上にはドア部材２６が図示のように矢印Ｄ２方向に開閉自在に設けられている。このため、本体２５上には軸支部２５ａが設けられており、この軸支部２５ａを挿通する軸体２７によってドア部材２６を前後方向に軸支している。
【００３５】
また、このドア部材２６は図示のように周縁部を取り囲む（図４（ａ）参照）ように形成された鍔部が形成されており、後述する押圧板３７などを保護するとともに、開口鍔部２６ｋを軸支部付近に形成している。このドア部材２６の前方には左右一対の爪部３０ａ、３０ａを一体形成した被係止部材３０が軸支されており、この係止部材３０の各爪部が本体２５上の一対の被係止部材２９に対して係止する状態を維持することで後述の輸液動作を行うようにしている。
【００３６】
一方、本体２５上には上方に凸になるように形成された形状部２５ｂが形成されており、この形状部２５ｂ中に輸液チューブ装填補助具５を矢印Ｄ１方向にセットするとともに、その後上記のようにドア部材２６を閉じるように構成されている。また、図１の輸液ポール１７のフック部１７ａに吊るされて使用されるとともに、所定の薬液を所定量溜めた輸液バッグ３に対して輸液チューブ２が点滴筒を介して接続されている。
【００３７】
さらに、この輸液チューブ２の下流の途中部位には輸液チューブ装填補助具５が設けられており、この補助具５を構成する本体５０、５１との間で輸液チューブ２を保持するとともに、閉塞部材５５の閉塞作用によって薬液のフリーフロー状態からアンチフリーフロー状態に自動的になるようにしている。そして、輸液チューブ２の下流にはローラクレンメ６と穿刺針４が接続されており、このように接続された輸液セットを上記のように形状部２５ｂで取り囲まれる部位にセットし、ドア部材２６を閉じることで複数のフィンガー２８と押圧板３７との間で輸液チューブ２を挟持することで輸液準備が整うようにしている。なお、上記の開口鍔部２６ｋを設けることで、輸液チューブ２に対する機械的な干渉を防止して図示のように後方に取り出すことができるので、隣接して多数の輸液装置１を配置可能になる。
【００３８】
図５は、図４（ｂ）のＸ−Ｘ線矢視断面図である。本図において、既に説明済みの構成または部品については同様の符号を附して説明を割愛すると、本体２５に対して開閉自在に設けられたドア部材２６には圧縮コイルバネ３８（付勢手段）を挿通保持したスタッドが設けられており、このスタッドに対して押圧部材３７を移動可能に保持している。
【００３９】
また、係止部材３０の爪部３０ａは、被係止部材２９の軸部２９ａに対して図示のように入ることで、ドア部材２６を本体に対する係止状態に維持できようにするとともに、軸体４０周りに時計方向に回動操作することで上記の係止状態を解除する。このとき、係止部材に形成されている形状部が閉塞部材に当接することで後述のアンチフリー状態にできるようにしている。
【００４０】
輸液駆動部の動作原理は、装着された輸液チューブ２をフィンガー２８ｎで押圧して、設定された時間あたりの流量で持続的に輸液するものであって、マイクロコンピュータ（ＣＰＵ）に記憶した情報によりモーター回転信号を生成し、この回転信号によってモーター３６を回転させ、カムシャフト３５を駆動し、輸液の流量を得る。
【００４１】
また、フインガー２８ｎは上流側から第１フィンガー、第２フィンガー、第３フィンガー、第４フィンガー、第５フィンガーの夫々が紙面の上下方向に往復駆動される。第１フィンガーと第４フィンガーの形状は他の第２フィンガー、第３フィンガー、第５フィンガーとは異なり、第１フィンガーと第４フィンガーの幅寸法は他のフィンガーの幅寸法より大きく設定されている。また、第１フィンガーと第４フィンガーの押圧面には凸部が形成されている。このように、全て同じ形状にしないことで、上述したように本願出願人が特開平０９−１５１８５６号公報において提案したペリスタリックフィンガー方式を理想的なものにしている。
【００４２】
すなわち、第１フィンガーと第４フィンガーの押圧面に形成された凸部で輸液チューブ２を上流側と下流側のみ完全に圧閉し、他の第２フィンガー、第３フィンガーで途中部位を完全に潰さないようにすることで、輸液チューブ２の肉厚の影響をなくした高い精度の送液を可能にしている。第１フィンガーと第４フィンガーは輸液チューブ２を完全圧閉するときに輸液チューブ２が左右に広がる状態になるので第１フィンガーと第４フィンガーの幅寸法は他のフィンガーの幅寸法より大きくしている。尚、第５フィンガーは脈動を補正する。
【００４３】
また、通常の蠕動運動方式の場合には、全てのフィンガー２８ｎを第２フィンガーと同じものにして完全に輸液チューブを潰すことで輸液チューブの蠕動運動を行うことができる。以上の各フィンガー２８ｎの蠕動運動が押圧板３７との間で挟持された輸液チューブ２に伝えられることで矢印方向の輸液が行われる。
【００４４】
この押圧板３７は、フィンガー２８ｎによる押圧受け面を形成するものであるが、何らかの過剰負荷が発生したときに輸液チューブ２の損傷を防止するようにしている。また、上記の第１フィンガーと第４フィンガーは輸液チューブ２を完全に圧閉するので、これらのフィンガーに対向するように第２の受け板部材（不図示）が押圧板３７に設けられてい  次に、図６（ａ）は、閉塞部材５５がフリーフロー状態になっている輸液チューブ装填補助具５の正面図、（ｂ）は、図６（ａ）の一部を破断して図示した右側面図である。
【００４５】
また、図７（ａ）は、閉塞部材５５がアンチフリーフロー状態になっている輸液チューブ装填補助具５の正面図、（ｂ）は、図７（ａ）の一部を破断して図示した右側面図である。そして、図８（ａ）は、閉塞部材５５がアンチフリーフロー状態になっている輸液チューブ装填補助具５の外観斜視図、（ｂ）は、閉塞部材５５がフリーフロー状態になっている輸液チューブ装填補助具５の一部を破断して図示した外観斜視図である。
【００４６】
図６〜図８において、共通する構成または部品については同様の符号を附してある。これらの各図において、輸液チューブ装填補助具５は、ドア部材２６と輸液駆動部との間に装填される厚さ寸法を有するとともに射出成型される樹脂製の板状の基部５０、５１を備えている。これらの基部５０、５１間で輸液チューブ２の途中部位を適宜保持するために保持部を有している。
【００４７】
また、基部５０、５１には上から順に上記の鍔開口部２６ｋから外部に出る延設部５０ｄ、５１ｄと、気泡センサ５２を固定する開口部５０ｃと、フィンガー２８及び押圧板３７が潜入することで輸液チューブ２に蠕動運動を与える開口部５０ａ、５１ａ（不図示）と、閉塞センサが潜入する穴部５０ｂ（５１ｂは図示しない）と取付部５０ｆ、５１ｆとが一体樹脂成型されている。
【００４８】
以上のように準備される基部５０、５１に対して図７において一部を破線で図示したように輸液チューブ２がセットされる。また、ＩＣタグ４９が輸液チューブ２の曲げ部の上方に敷設されることで、補助具５を装填前にＩＣタグ４９の検出を行えるようにして輸液に関する情報を読み込み及び書き込むようにしても良い。
【００４９】
樹脂成型乃至金属加工などから準備される閉塞部材５５が取付部５０ｆから延設された軸支部に挿通される軸体５６周りに回動自在に設けられる。この閉塞部材５５は輸液チューブ２をフリーフロー状態（図６に示す）からアンチフリーフロー状態（図７に示す）にする。すなわち、閉塞部材５５は輸液チューブ２をフリ−フロー状態にする待機位置とアンチフリーフロー状態にする閉塞位置との間で基部上で回動自在に設けられる。
【００５０】
また、この閉塞部材５５は基部５０、５１がドア部材と輸液駆動部との間に装着され、ドア部材２６が係止位置にされた後に、ドア部材２６が開放位置に開けられると、閉塞部材５５の基部に対する係合状態が解除されて、閉塞部材５５をアンチフロー状態に移動するための付勢部材であるトーションバネ７０を軸体５６周りに設けている。
【００５１】
図９は、図６〜図８に図示した輸液チューブ装填補助具５の要部の立体分解図である。本図において、既に説明済みの構成または部品については同様の符号を附して説明を割愛すると、基部５０、５１を固定するために複数の孔部が図示のように夫々形成されており、小ボルト６０とナット６１を用いることで組み付けられる。
【００５２】
また、基部５０の取付部５０ｆからは金属製の軸体５６の軸支部となる軸支孔部５０ｋを左右対称に形成した延設部５０ｙが一体形成されている。さらに、各延設部５０ｙの間には矩形の開口部５０ｘが形成されており、閉塞部材５５の閉塞端部５５ｋがこの開口部５０ｘ内に入る状態とこの開口部５０ｘ上に待機できるようにしている。
【００５３】
閉塞部材５５は、上記の閉塞端部５５ｋに加えて表面部５５ａと裏面部５５ｂ（破線図示）と軸支孔部５５ｃを左右側面に一体成型するように準備される。この閉塞部材５５は、図示のように内部にねじりコイルバネであるトーションバネ７０を内蔵した後に軸体５６によって、軸支孔部５０ｋの間で回動自在に保持され、軸体５６の溝部に止め輪６２が嵌合されることで組み付けられる。
【００５４】
一方、基部５１の取付部５１ｆは取付部５０ｆと同じ外形形状および寸法を備えるとともに、輸液チューブ２の外周面を保持する半円形の保持部５１ｇが、基部５０の保持部とともに形成されており、輸液チューブ２が開口部５０ｘから露出するように保持するように構成されている。
【００５５】
ここで、以上のように構成される輸液チューブ装填補助具５に代えて、図中の破線で示す部分５０ｔ、５１ｔから切り離して下方の構成のみとして、４組のボルトナットで固定するようにし、輸液チューブ２の残りの部分をドア部材の押圧板とフィンガー間で挟持するように構成しても良く、この場合には、使用後に廃棄処分される量が少なくなる利点がある。
【００５６】
図１０（ａ）は、図８（ｂ）のＸ−Ｘ線矢視断面図であって閉塞部材５５の基部５０、５１に対する相対位置関係をトーションバネ７０の模式図とともに図示した動作説明図であり、（ｂ）は、図８（ｂ）のＸ−Ｘ線矢視断面図であって、閉塞部材５５の基部５０、５１に対する相対位置関係についてドア部材２６が係止位置に係止された状態をトーションバネ７０の模式図とともに図示した動作説明図であり、（ｃ）は図８（ａ）のＹ−Ｙ線矢視断面図であって閉塞部材５５の基部５０、５１に対する相対位置関係についてドア部材２６が係止解除されて開かれた状態を、トーションバネ７０の模式図とともに図示した動作説明図である。
【００５７】
本図において、既に説明済みの構成または部品については同様の符号を附して説明を割愛すると、図１０（ａ）において、トーションバネ７０は、巻線部が閉塞部材５５を基部に回動軸支するための軸体５６に挿通されている。
【００５８】
また、その一端７１が基部の第１の溝部７２に潜入され、その他端７３が基部の第２の溝部７４に潜入されており図示の係合状態を維持している。
【００５９】
この状態はフリーフロー状態であるので工場出荷時に行われる輸液チューブ２内の滅菌処理を行うことができる。
【００６０】
次に、図１０（ｂ）において、ドア部材２６が閉じられ係止部材３０が係止されると凸部を含む形状部３０ｋが閉塞部材５５の表面５５ａを押すことで、閉塞部材５５の内側傾斜面５５ｙ（図１０（ｃ）参照）に対して一端７１が当接する状態となり一端７１が第１の溝部７２から外れて閉塞部材５５の裏面５５ｂ上に移動される。
【００６１】
次に、係止部材３０の係止が解除されてドア部材２６が上方に移動されると、図１０（ｃ）に図示のように開方向に常時付勢されたトーションバネ７０の作用によって、閉塞端部５５ｋが輸液チューブ２を閉塞する状態となる。
【００６２】
すなわち、閉塞部材５５の表面５５ａ側が押圧されることで、トーションバネ７０の一端７１が第１の溝部７２から外れ、傾斜面５５ｙ上をすべり閉塞部材５５の裏面５５ｂ上に移動されることで、閉塞部材５５をアンチフロー状態に付勢する。
【００６３】
この後に、閉塞部材５５を指先で押さえてもトーションバネ７０の一端７１が第１の溝部７２内に入れることはできないことから図１０（ａ）に図示した元の状態に戻すことはできない。したがって、一旦使用後には、再使用できないので安全性が確保されることとなる。
【００６４】
ここで、輸液チューブ２を直径が４ｍｍ、肉厚が約０．４ｍｍの軟質透明樹脂から成型した場合には、閉塞力は約６５０ｇｆとすることで十分な閉塞状態を維持できた。
【００６５】
次に、図１１（ａ）は、ドア部材２６に設けられた係止部材３０が被係止部材２９に向けて移動される様子を図示した外観斜視図、（ｂ）は係止部材３０が被係止部材２９に対して係止される直前の様子を図示した外観斜視図、（ｃ）は係止部材３０が被係止部材２９に対して係止されるとともに形状部である凸部３０ｋが閉塞部材５５の表面５５ａを押圧する様子を図示した外観斜視図、そして（ｄ）は係止部材３０が被係止部材２９から係止解除されるように操作され、凸部３０ｋが閉塞部材５５の表面５５ａから離れることで閉塞部材５５がアンチフリーフロー状態になる様子を図示した外観斜視図である。
【００６６】
本図において、既に説明済みの構成または部品については同様の符号を附して説明を割愛すると、図１１（ａ）において、ドア部材２６に対して軸体４０で回動自在に設けられた係止部材３０には下方に向かう形状部３０ｋが形成されている。
【００６７】
このとき、軸体４０周りに設けられた不図示のトーションバネにより係止部材３０は図示の位置で停止している。
【００６８】
この後、図１１（ｂ）において、係止部材３０の１組の爪部３０ａが被係止部材２９に対して係止される。
【００６９】
その後、図１１（ｃ）において、係止部材３０が矢印方向に押圧されることで被係止部材２９に対して係止されることでドア部材２６が本体に対して固定される状態となるので、輸液を行う。また、このとき凸部３０ｋが閉塞部材５５の表面５５ａを押圧する。
【００７０】
この後、輸液が終了すると、図１１（ｄ）において、取り出しのために係止部材３０が被係止部材２９から係止解除されるように操作され、凸部３０ｋが閉塞部材５５の表面５５ａから離れることで、閉塞部材５５が上記のトーションバネ７０の作用によって自動的にアンチフリーフロー状態になるので、ドア部材を図３で図示する位置まで開き輸液チューブ装填補助具５を輸液チューブ２とともに取り出す。
【００７１】
以上説明した輸液装置１によればドア部材２６を前後方向に開閉可能に設けた蠕動式輸液ポンプの事例について述べたがこれに限定されずドア部材を左右方向に開閉自在に設けても良い。また、輸液チューブ装填補助具５の適所にＩＣタグを設けておき、このＩＣタグに記憶されている情報として輸液チューブの各種特性、輸液チューブの閉塞の閾値、患者データ（薬品名、注入流量の上下限界値、注入速度の上限値他）を記憶しておき装置１に設けられたＩＣタグ読み取り装置でデータを読み取ることで、医療ミスを未然に防止できるようになる。
【００７２】
図１２は、別実施形態の輸液装置１の外観斜視図である。本図において、輸液チューブ装填補助具５の形状は図示のように輸液チューブ２を図示のように直線的に保持するように形成されている。
【００７３】
また、ドア部材１２６は輸液装置１の前面のヒンジ１２７により左右に開閉自在に設けられており、形状部となる凸部１２６ｋをドア部材１２６において一体形成している。
【００７４】
このように構成される装置構成によって輸液チューブ２をフィンガー２８とドア部材１２６に設けられた押圧板との間で狭持して送液を行うようにしても良い。
【００７５】
このとき、図９で説明した部分５０ｔ、５１ｔから切り離して下方の構成のみとして、４組のボルトナットで固定した補助具を使用しても良い。
【００７６】
最後に、図１３は、別実施形態のローラ式輸液装置の動作原理図である。本図において、既に説明済みの構成または部品については同様の符号を附して説明を割愛すると、図示のように輸液駆動部１２８をローラ式とする一方で、輸液チューブ２の下流側に輸液チューブ装填補助具５を設け、蓋部材２２６との間で輸液チューブ２を挟持して輸液を行い、輸液後に蓋部材２２６を軸体２２７周りに開けるように構成されている。
【００７７】
尚、本発明の要旨を逸脱しない範囲の設計変更等があっても本発明に含まれることは言うまでもない。
【図面の簡単な説明】
【００７８】
【図１】輸液システム１０の外観斜視図である。
【図２】図１の輸液システムのブロック図である。
【図３】輸液装置１を輸液チューブ装填補助具５とともに図示した外観斜視図である。
【図４】（ａ）は、図３に図示の輸液装置１のドア部材２６を開いて輸液チューブ装填補助具５をセットした様子を図示した外観斜視図、（ｂ）はその後ドア部材２６を係止位置まで閉じた様子を図示した外観斜視図である。
【図５】図４（ｂ）のＸ−Ｘ線矢視断面図である。
【図６】（ａ）は、閉塞部材５５がフリーフロー状態になっている輸液チューブ装填補助具５の正面図、（ｂ）は、図６（ａ）の一部を破断して図示した右側面図である。
【図７】（ａ）は、閉塞部材５５がアンチフリーフロー状態になっている輸液チューブ装填補助具５の正面図、（ｂ）は、図７（ａ）の一部を破断して図示した右側面図である。
【図８】（ａ）は、閉塞部材５５がアンチフリーフロー状態になっている輸液チューブ装填補助具５の外観斜視図、（ｂ）は、閉塞部材５５がフリーフロー状態になっている輸液チューブ装填補助具５の一部を破断して図示した外観斜視図である。
【図９】輸液チューブ装填補助具５の立体分解図である。
【図１０】（ａ）は、図８（ｂ）のＸ−Ｘ線矢視断面図であって閉塞部材５５の基部５０、５１に対する相対位置関係をトーションバネ７０の模式図とともに図示した動作説明図、（ｂ）は、図８（ｂ）のＸ−Ｘ線矢視断面図であって閉塞部材５５の基部５０、５１に対する相対位置関係についてドア部材２６が係止位置に係止された状態をトーションバネ７０の模式図とともに図示した動作説明図、（ｃ）は、図８（ａ）のＹ−Ｙ線矢視断面図であって閉塞部材５５の基部５０、５１に対する相対位置関係についてドア部材２６が係止解除されて開かれた状態をトーションバネ７０の模式図とともに図示した動作説明図である。
【図１１】（ａ）は、ドア部材２６に設けられた係止部材３０が被係止部材２９に向けて移動される様子を図示した外観斜視図、（ｂ）は、係止部材３０が被係止部材２９に対して係止される直前の様子を図示した外観斜視図、（ｃ）は、係止部材３０が被係止部材２９に対して係止されるとともに形状部である凸部３０ｋが閉塞部材５５の表面５５ａを押圧する様子を図示した外観斜視図、そして（ｄ）は、係止部材３０が被係止部材２９から係止解除されるように操作され、凸部３０ｋが閉塞部材５５の表面５５ａから離れることで閉塞部材５５がアンチフリーフロー状態になる様子を図示した外観斜視図である。
【図１２】別実施形態の輸液装置１の外観斜視図である。
【図１３】別実施形態のローラ式輸液装置の動作原理図である。
【符号の説明】
【００７９】
１  輸液装置
２  輸液チューブ
４  穿刺針
５  輸液チューブ装填補助具
６  クレンメ
１０  輸液システム
１１  筐体
１２  制御装置
１３  電源装置
１４  置き台
１５  輸液主ポール
１６  固定具
１７  輸液副ポール
１８  液晶装置
１９  個人データ入力装置
２０  ベース
２１  キャスタ
２２  ハンドル
２３  液晶装置用固定具
２５  本体（図３〜）
２６  ドア部材
２７  軸体
２８  フィンガー
２９  被係止部材
３０  係止部材
３０ｋ  凸部
３１  ハンドル
３２  ロック部材
３３  インジケータ
３５  カムシャフト（図５〜）
３６  ステッピングモータ
３７  押圧板
３８  コイルバネ
４０  軸体
４９  ＩＣタグ
５０、５１  基部
５０ｇ  保持部
５２  気泡センサ
５５  閉塞部材
５５ａ  表面
５５ｂ  裏面
５５ｙ  内側傾斜面
５６  軸体
６０  ネジ
６１  ナット
６２  止め輪
７０  トーションバネ（付勢部材）
７１  一端
７２  第１の溝部
７３  他端
７４  第２の溝部
【図１】
2007236618.tif 000003
【図２】
2007236618.tif 000004
【図３】
2007236618.tif 000005
【図４】
2007236618.tif 000006
【図５】
2007236618.tif 000007
【図６】
2007236618.tif 000008
【図７】
2007236618.tif 000009
【図８】
2007236618.tif 000010
【図９】
2007236618.tif 000011
【図１０】
2007236618.tif 000012
【図１１】
2007236618.tif 000013
【図１２】
2007236618.tif 000014
【図１３】
2007236618.tif 000015